(57)【要約】【課題】長寿命であって、かつ高い防水性能を有しつつ、小型化が可能な生体情報検出装置を提供する。【解決手段】生体情報検出装置は、生体表面に接触する検出電極５１ａ，５２ａを有する一対の生体信号検出部５１，５２と、生体信号検出部５１，５２により検出された生体信号が入力される回路基板４０と、正極３１および負極３２を有し、回路基板４０に供給する電力を発電可能な発電部３０と、生体信号検出部５１と発電部３０とが積層配置されるとともに、回路基板４０と発電部３０とが積層配置された積層配置部７０と、を備える。回路基板４０は、積層配置部７０に対応した位置において、生体信号検出部５１と、発電部３０の負極３２と、を電気的に接続する第２接続電極４２を有する。【選択図】図３
2016016110.tif 000002
【特許請求の範囲】
【請求項１】
生体表面に接触する検出電極を有する一対の生体信号検出部と、
前記生体信号検出部により検出された生体信号が入力される回路基板と、
正極および負極を有し、前記回路基板に供給する電力を発電可能な発電部と、
前記一対の生体信号検出部のうち一方の前記生体信号検出部と、前記回路基板および前記発電部のうち少なくともいずれか一方と、が積層配置されるとともに、前記回路基板と前記発電部とが積層配置された積層配置部と、
を備え、
前記回路基板は、前記積層配置部に対応した位置において、前記一方の生体信号検出部と、前記発電部の前記負極と、を電気的に接続する接続電極を有する、
ことを特徴とする生体情報検出装置。
【請求項２】
請求項１に記載の生体情報検出装置において、
前記回路基板と前記発電部との間には、スペーサーが配置されている、
ことを特徴とする生体情報検出装置。
【請求項３】
請求項２に記載の生体情報検出装置において、
前記スペーサーは、導電性を有し、前記発電部の前記負極および前記回路基板の前記接続電極に接触している、
ことを特徴とする生体情報検出装置。
【発明の詳細な説明】
【技術分野】
【０００１】
本発明は、生体情報検出装置に関するものである。
【背景技術】
【０００２】
生体情報検出装置として、身体に装着して生体表面に接触させ、生体信号を検出する生体情報検出装置が存在する。この種の生体情報検出装置の中には、例えば、心臓の鼓動に伴って発生する心電信号を電極によって検出し、生体表面から心拍数を計測するものがある。このような生体情報検出装置は、洗浄時の水分や汗が装置内部に侵入して不具合が生じることを防ぐために、防水性を高める構造が適用されている。
【０００３】
例えば、特許文献１には、心電信号を検出する電極板（請求項における「検出電極」に相当。）と、電極板で検出された信号を処理する電子回路部（請求項における「回路基板」に相当。）と、電子回路部を収納する収納ケースとを有し、電極板の一端を電子回路部に接続すべく収納ケース内に延出した状態でこれら収納ケース及び電極板を一体的に覆う外皮を施した心拍計（請求項における「生体情報検出装置」に相当。）が開示されている。
特許文献１に記載の心拍計によれば、電極板および収納ケース等が一体成型され、ホック等による接続がないので、防水性が大幅に向上するとされている。
【先行技術文献】
【特許文献】
【０００４】
【特許文献１】特開平６−２４５９１３号公報
【発明の概要】
【発明が解決しようとする課題】
【０００５】
ところで近時、ソーラーパネル等の発電部を開閉不能な筐体内部に配置することで、電池を取り換えることなく発電部により電力を長期にわたって供給して長寿命を実現しつつ、筐体内部を密閉することにより防水性を高めた生体情報検出装置が開発されている。しかしながら、ソーラーパネルを備える生体情報検出装置は、回路基板上にソーラーパネルの正極および負極と接続するランド（請求項における「接続電極」に相当。）を設ける必要があるため、回路基板の面積が増加して製品が大型化する傾向にある。したがって、長寿命かつ高い防水性を有する生体情報検出装置にあっては、小型化するという点で改善の余地がある。
【０００６】
そこで本発明は、長寿命であって、かつ高い防水性能を有しつつ、小型化が可能な生体情報検出装置を提供するものである。
【課題を解決するための手段】
【０００７】
本発明の生体情報検出装置は、生体表面に接触する検出電極を有する一対の生体信号検出部と、前記生体信号検出部により検出された生体信号が入力される回路基板と、正極および負極を有し、前記回路基板に供給する電力を発電可能な発電部と、前記一対の生体信号検出部のうち一方の前記生体信号検出部と、前記回路基板および前記発電部のうち少なくともいずれか一方と、が積層配置されるとともに、前記回路基板と前記発電部とが積層配置された積層配置部と、を備え、前記回路基板は、前記積層配置部に対応した位置において、前記一方の生体信号検出部と、前記発電部の前記負極と、を電気的に接続する接続電極を有する、ことを特徴とする。
本発明によれば、生体情報検出装置は、発電部を備えることで、装置内部を密閉しつつ、長期にわたって電力を得ることができる。また、生体情報検出装置は、回路基板上における生体信号検出部との接続電極および発電部の負極との接続電極を、積層配置部において共通化できる。これにより、回路基板上の積層配置部以外の領域に、発電部の負極との接続電極を別途設ける必要がなくなるため、回路基板の面積を縮小することができる。したがって、長寿命であって、かつ高い防水性を確保しつつ、小型化が可能な生体情報検出装置が得られる。
【０００８】
上記の生体情報検出装置において、前記回路基板と前記発電部との間には、スペーサーが配置されている、ことを特徴とする。
本発明によれば、発電部に対向する回路基板の主面上に電子部品等の構造体があっても、スペーサーにより回路基板と発電部との間に間隙を設けることができるので、回路基板と発電部との積層配置が容易になる。
【０００９】
上記の生体情報検出装置において、前記スペーサーは、導電性を有し、前記発電部の前記負極および前記回路基板の前記接続電極に接触している、ことを特徴とする。
本発明によれば、発電部と回路基板との間に間隙を設けた状態で、発電部と回路基板のそれぞれの面上に設けられた電極同士を導通させることができる。したがって、発電部の負極と回路基板の接続電極とを容易に導通させることができる。
【発明の効果】
【００１０】
本発明の生体情報検出装置によれば、生体情報検出装置は、発電部を備えることで、装置内部を密閉しつつ、長期にわたって電力を得ることができる。また、生体情報検出装置は、回路基板上における生体信号検出部との接続電極および発電部の負極との接続電極を、積層配置部において共通化できる。これにより、回路基板上の積層配置部以外の領域に、発電部の負極との接続電極を別途設ける必要がなくなるため、回路基板の面積を縮小することができる。したがって、長寿命であって、かつ高い防水性を確保しつつ、小型化が可能な生体情報検出装置が得られる。
【図面の簡単な説明】
【００１１】
【図１】第１実施形態に係る生体情報検出装置を、使用者が装着した状態を示す説明図である。
【図２】第１実施形態に係る生体情報検出装置の装置本体の斜視図である。
【図３】図２のＩＩＩ−ＩＩＩ線における断面図である。
【図４】第２実施形態に係る生体情報検出装置の装置本体の説明図であり、図２のＩＩＩ−ＩＩＩ線に相当する部分における断面図である。
【発明を実施するための形態】
【００１２】
以下、本発明の実施形態を図面に基づいて説明する。なお、以下の説明では、生体情報検出装置として心拍計測装置を例に挙げる。
【００１３】
（第１実施形態、生体情報検出装置）
最初に、第１実施形態に係る生体情報検出装置について説明する。
図１は、第１実施形態に係る生体情報検出装置を、使用者が装着した状態を示す説明図である。
図１に示すように、生体情報検出装置１は、使用者Ｕの身体の表面である胸部に装着され、心臓の鼓動に伴って発生する心電信号を検出するものである。生体情報検出装置１は、胸部の周方向に長く形成され心拍を計測する装置本体２と、装置本体２の長手方向両端部に連結され装置本体２を生体表面に装着する固定ベルト３と、を備えている。なお、以下では、使用者Ｕが生体情報検出装置１を装着した状態で使用者Ｕに接する側を裏側とし、その反対側であって使用者Ｕから離間する方向を表側として説明する。また、装置本体２の長手方向に沿う方向を単に長手方向と称し、装置本体２の短手方向に沿う方向を単に短手方向と称する。
【００１４】
図２は、第１実施形態に係る生体情報検出装置の装置本体の斜視図である。なお、図２では、後述する表ケース２２を除外した構造を図示している。
図２に示すように、装置本体２は、ケース２０と、ケース２０から長手方向に延出する一対の生体信号検出部５１，５２と、ケース２０の内部に収容される回路基板４０と、回路基板４０の表側に配置される発電部３０と、生体信号検出部５１と発電部３０とが積層配置されるとともに、回路基板４０と発電部３０とが積層配置された積層配置部７０と、を備える。
【００１５】
（ケース）
図３は、図２のＩＩＩ−ＩＩＩ線における断面図である。
ケース２０は、例えば樹脂材料等により形成され、装置本体２の外郭を構成している。図３に示すように、ケース２０は、裏ケース２１と、裏ケース２１の表側に配置される表ケース２２と、を有する。
裏ケース２１には、表側が開口した凹状の断面形状を有する収容部２４が形成されている。収容部２４は、自身の長手方向が装置本体２の長手方向に沿うように形成されている。収容部２４には、後述する回路基板４０や発電部３０、二次電池１１等が収容されている。また、裏ケース２１の長手方向両側の端部には、後述する生体信号検出部５１，５２の一端が挿通される一対の挿通部２６が形成されている。挿通部２６は、裏ケース２１を長手方向に沿って貫通している。
【００１６】
表ケース２２は、長手方向に沿って長軸を有する楕円状に形成されている。表ケース２２は、光透過性を有する点で、例えばアクリル等が好適である。表ケース２２は、裏ケース２１の収容部２４を閉塞するように裏ケース２１に嵌め込まれた後、裏ケース２１に対して例えば超音波溶着されている。なお、裏ケース２１と表ケース２２との間にシール部材が挿入される構成としてもよい。これにより、ケース２０は、裏ケース２１と表ケース２２との隙間が閉塞されて防水性が確保される。なお、表ケース２２の形状は、楕円状に限定されず、例えば円形状や矩形状等の他形状であってもよい。
【００１７】
（生体信号検出部）
一対の生体信号検出部５１，５２は、使用者Ｕの胸部表面（請求項における「生体表面」に相当。）に接触することにより電位差を心電信号として出力する検出電極５１ａ，５２ａとして機能する。一対の生体信号検出部５１，５２は、それぞれ長手方向に沿うように帯状に形成されている。
一対の生体信号検出部５１，５２は、導電性を有する弾性材料により形成されている。具体的には、一対の生体信号検出部５１，５２を形成する材料としては、カーボンブラックを配合した導電シリコンゴムや、カーボンブラックを配合した導電ゴム、カーボンブラックを配合した導電ポリウレタンゴム、といった導電性エラストマーが好適である。
【００１８】
一対の生体信号検出部５１，５２のうち、一方は負極の生体信号検出部５１（以下、「負極生体信号検出部５１」という。）となっている。
負極生体信号検出部５１は、一端が裏ケース２１の挿通部２６に挿通されて、収容部２４において第１締結部材６１により締結固定されることで、裏ケース２１に取り付けられている。このとき、第１締結部材６１は、発電部３０、後述するスペーサー６５、および負極生体信号検出部５１をこの順に表側から裏側に向かって挿通している。また、負極生体信号検出部５１は、グランド電位に保持されている。
【００１９】
一対の生体信号検出部５１，５２のうち、他方は正極の生体信号検出部５２（以下、「正極生体信号検出部５２」という。）となっている。
正極生体信号検出部５２は、一端が裏ケース２１の挿通部２６に挿通されて、収容部２４において第２締結部材６２により締結固定されることで、裏ケース２１に取り付けられている。このとき、第２締結部材６２は、正極生体信号検出部５２および回路基板４０をこの順に表側から裏側に向かって挿通している。
生体信号検出部５１，５２は、各挿通部２６の内周の全周に亘って配置されたシール部材２７に当接している。これにより、装置本体２は、生体信号検出部５１，５２と挿通部２６との隙間がシール部材２７により閉塞されて、挿通部２６における防水性が確保される。
【００２０】
（発電部）
発電部３０は、回路基板４０に供給する電力を発電可能であって、回路基板４０を介して二次電池１１を充電する。発電部３０は、例えば平面視矩形板状に形成され、表面には受光面Ｒを備え、裏面には正極３１と負極３２とを備えたソーラーパネルである。正極３１は、発電部３０の裏面における中央付近に形成されている。負極３２は、発電部３０の裏面における長手方向の一端近傍に形成されている。負極３２は、グランド電位に保持されている。
【００２１】
発電部３０は、長手方向における一端が、第１締結部材６１により裏ケース２１に対して締結固定されている。このとき、発電部３０は、受光面Ｒが表側に向くとともに、負極３２が負極生体信号検出部５１側に位置するように、収容部２４に配置されている。このような構成とすることで、光透過性を有する材料で形成された表ケース２２を透過する光を受光面Ｒが受光可能となるため、発電部３０が外光を受光して発電可能となる。
【００２２】
二次電池１１は、外部から供給される電力によって充電可能な電池である。二次電池１１は、例えばコバルトチタンリチウム電池やリチウムイオン電池等を用いることができる。二次電池１１は、収容部２４の底面に配置され、充電および回路基板４０への給電が可能なように回路基板４０に接続されている。
【００２３】
（回路基板）
回路基板４０は、心拍計測に必要な各種の電子部品が実装された基板であり、一対の生体信号検出部５１，５２により検出された生体信号が入力される。回路基板４０は、平面視形状がケース２０の収容部２４よりやや小さい矩形板状に形成されている。回路基板４０は、ケース２０の収容部２４内における発電部３０と二次電池１１との間に配置されている。回路基板４０は、長手方向における一端（負極生体信号検出部５１側）が、不図示の締結部材等により裏ケース２１に対して固定されている。また、回路基板４０は、長手方向における他端（正極生体信号検出部５２側）が、第２締結部材６２により裏ケース２１に対して締結固定されている。
【００２４】
回路基板４０の表面には、第１接続電極４１と第２接続電極４２（請求項における「接続電極」に相当。）と第３接続電極４３とが形成されている。第１接続電極４１は、回路基板４０の表面における中央付近に形成されている。第１接続電極４１と発電部３０の正極３１との間には、導通部材１３が配置されている。導通部材１３は、例えばコイル等により形成され、一端が正極３１と接続され、他端が第１接続電極４１と接続される。これにより第１接続電極４１と正極３１とが導通している。第２接続電極４２は、回路基板４０の表面における長手方向の一端（負極生体信号検出部５１側）に形成されている。第２接続電極４２は、グランド電位に保持され、スペーサー６５と接触して導通している。第３接続電極４３は、回路基板４０の表面における長手方向の他端（正極生体信号検出部５２側）に形成されている。回路基板４０は、第３接続電極４３の周辺において裏ケース２１および正極生体信号検出部５２により挟持されているため、第３接続電極４３は、正極生体信号検出部５２に接触して導通している。
【００２５】
（スペーサー）
スペーサー６５は、例えば平面視矩形状に形成された板状の部材であり、回路基板４０と発電部３０との間に配置されている。スペーサー６５の材質は、導電性を有し、例えば金属材料等が好適である。スペーサー６５は、発電部３０の一端近傍の裏面に沿って形成された平板状の挟持部６６と、回路基板４０の一端近傍の表面に沿って形成された平板状の接触部６７と、挟持部６６と接触部６７とを接続する段差部６８と、により構成されている。
【００２６】
挟持部６６の厚さは、例えば回路基板４０と同等となっている。挟持部６６は、発電部３０の一端近傍および負極生体信号検出部５１により挟持され、第１締結部材６１が挿通されている。このとき挟持部６６は、発電部３０の負極３２および負極生体信号検出部５１に接触して導通している。
接触部６７の厚さは、挟持部６６と同等である。接触部６７は、挟持部６６の長手方向内方かつ挟持部６６より裏側において、挟持部６６と略平行に配置されている。接触部６７は、回路基板４０の第２接続電極４２に接触して導通している。
段差部６８は、挟持部６６の長手方向内方の端部から、表裏方向に沿って裏側に延びて、接触部６７の長手方向外方の端部に接続している。
【００２７】
スペーサー６５は、挟持部６６および接触部６７が段差部６８を介して接続されていることで、発電部３０の負極３２と、回路基板４０の第２接続電極４２と、負極生体信号検出部５１と、に接触して導通し、グランド電位に保持している。
【００２８】
このように、本実施形態では、発電部３０は、密閉されたケース２０内において、受光面Ｒが光透過性を有する表ケース２２に対向するように配置されている。これにより、発電部３０は、表ケース２２を介して外光を受光することで二次電池１１を充電することができるため、回路基板４０は、装置内部を密閉しつつ長期にわたって電力を得ることができる。したがって、内部が密閉された生体情報検出装置１を繰り返し使用することができる。
【００２９】
また、発電部３０の負極３２および負極生体信号検出部５１は、積層配置部７０において、上述したスペーサー６５を介して回路基板４０の第２接続電極４２と接続して導通することで、グランド電位に保持されている。これにより、従来技術で回路基板上に設ける必要があった発電部の負極とグランド電位で接続するランド、および生体信号検出部とグランド電位で接続するランドを、積層配置部７０に形成された１つの第２接続電極４２に集約することが可能となる。すなわち、回路基板４０の面積を小さくすることが可能となる。
【００３０】
また、スペーサー６５を回路基板４０と発電部３０との間に配置することで、回路基板４０と発電部３０との間に間隙を設けることができる。このため、回路基板４０の表面上に電子部品等の構造体が配置されていても、発電部３０を回路基板４０に対して平行かつ近接して配置することが可能となり、回路基板４０と発電部３０との積層配置が容易になる。
【００３１】
また、スペーサー６５が導電性を有し、発電部３０の負極３２および回路基板４０の第２接続電極４２に接触していることで、発電部３０と回路基板４０との間に間隙を設けた状態で、発電部３０と回路基板４０のそれぞれの面上に設けられた電極同士を導通させることができる。したがって、発電部３０の負極３２と回路基板４０の第２接続電極４２とを容易に導通させることができる。
【００３２】
このように、本実施形態の生体情報検出装置１は、発電部３０と、負極生体信号検出部５１と発電部３０とが積層配置されるとともに、回路基板４０と発電部３０とが積層配置された積層配置部７０と、を備える。回路基板４０は、積層配置部７０に対応した位置において、負極生体信号検出部５１と発電部３０の負極３２とを電気的に接続する接続電極を有する。
この構成によれば、生体情報検出装置１は、発電部３０を備えることで、装置内部を密閉しつつ、長期にわたって電力を得ることができる。また、生体情報検出装置１は、回路基板４０上における負極生体信号検出部５１との接続電極および発電部３０の負極３２との接続電極を、積層配置部７０において共通化できる。これにより、回路基板４０上の積層配置部７０以外の領域に、発電部３０の負極３２との接続電極を別途設ける必要がなくなるため、回路基板４０の面積を縮小することができる。したがって、長寿命であって、かつ高い防水性を確保しつつ、小型化が可能な生体情報検出装置１が得られる。
【００３３】
（第２実施形態、生体情報検出装置）
次に、第２実施形態に係る生体情報検出装置について説明する。
図４は、第２実施形態に係る生体情報検出装置の装置本体の説明図であり、図２のＩＩＩ−ＩＩＩ線に相当する部分における断面図である。
図３に示す第１実施形態では、発電部３０は、回路基板４０に対して表側に配置されている。これに対して、図４に示す第２実施形態では、発電部１３０は、回路基板１４０に対して裏側に配置されている点で、第１実施形態と異なっている。なお、図３に示す第１実施形態と同様の構成となる部分については、詳細な説明を省略する。
【００３４】
図４に示すように、装置本体１０２のケース１２０は、裏ケース１２１と、表ケース１２２と、を有する。裏ケース１２１は、底部１２３を有する。底部１２３は、光透過性を有する点で、例えばアクリル等が好適である。底部１２３は、平面視矩形状に形成されている。底部１２３は、裏ケース１２１の裏側から嵌め込まれた後、裏ケース１２１の本体に対して例えば超音波溶着されている。これにより底部１２３は、裏ケース１２１における収容部１２４の底面を構成している。表ケース１２２は、例えば裏ケース１２１と同一の材質により形成されている。
【００３５】
発電部１３０は、回路基板１４０の裏側に配置されている。このとき、発電部１３０は、受光面Ｒが裏側に向くとともに、受光面Ｒが底部１２３の表面に沿うように収容部１２４に配置されている。また、発電部１３０は、表面において正極１３１と負極１３２とを備えている。正極１３１は、発電部１３０の表面における中央付近に形成されている。負極１３２は、発電部１３０の表面における長手方向の一端（負極生体信号検出部５１側）に形成されている。
【００３６】
発電部１３０は、長手方向における一端（負極生体信号検出部５１側）において、第１締結部材６１が挿通されている。このとき、第１締結部材６１は、負極生体信号検出部５１、後述するスペーサー１６５、および発電部１３０をこの順に表側から裏側に向かって挿通し、裏ケース１２１に対して締結固定している。また、発電部１３０は、長手方向における他端（正極生体信号検出部５２側）において、第２締結部材６２が挿通されている。このとき、第２締結部材６２は、回路基板１４０、正極生体信号検出部５２、および発電部１３０をこの順に表側から裏側に向かって挿通し、裏ケース１２１に対して締結固定している。
【００３７】
回路基板１４０は、長手方向における一端（負極生体信号検出部５１側）が、不図示の締結部材等により裏ケース１２１に対して固定されている。また、回路基板１４０は、長手方向における他端（正極生体信号検出部５２側）において第２締結部材６２が挿通され、裏ケース１２１に対して締結固定されている。回路基板１４０の表面と表ケース１２２との間には、二次電池１１が配置されている。
【００３８】
回路基板１４０の裏面には、第１接続電極１４１と第２接続電極１４２と第３接続電極１４３とが形成されている。第１接続電極１４１は、回路基板１４０の裏面における中央付近に形成されている。第１接続電極１４１と発電部１３０の正極１３１との間には、第１実施形態と同様に、導通部材１３が配置されている。導通部材１３は、一端が正極１３１と接続され、他端が第１接続電極１４１と接続される。これにより第１接続電極１４１と正極１３１とが導通している。第２接続電極１４２は、回路基板１４０の裏面における長手方向の一端（負極生体信号検出部５１側）に形成されている。第２接続電極１４２は、第１実施形態における第２接続電極４２と同様に、グランド電位に保持され、スペーサー１６５と接触して導通している。第３接続電極１４３は、回路基板１４０の裏面における長手方向の他端（正極生体信号検出部５２側）に形成されている。回路基板１４０は、第３接続電極１４３の周辺において、正極生体信号検出部５２の一端と接触しているため、第３接続電極１４３は、正極生体信号検出部５２と導通している。
【００３９】
スペーサー１６５は、発電部１３０の一端近傍の表面に沿って形成された平板状の挟持部１６６と、回路基板１４０の一端近傍の裏面に沿って形成された平板状の接触部１６７と、挟持部１６６と接触部１６７とを接続する段差部１６８と、により構成されている。挟持部１６６は、発電部１３０の一端近傍および負極生体信号検出部５１により挟持され、第１締結部材６１が挿通されている。このとき挟持部１６６は、発電部１３０の負極１３２および負極生体信号検出部５１に接触して導通している。接触部１６７は、回路基板１４０の第２接続電極１４２に接触して導通している。段差部１６８は、挟持部１６６の長手方向内方の端部から、表裏方向に沿って表側に延びて、接触部１６７の長手方向外方の端部に接続している。
【００４０】
このように、本実施形態では、裏ケース１２１が光透過性を有する底部１２３を有し、発電部１３０の受光面Ｒが底部１２３に対向するように、発電部１３０が回路基板１４０の裏側において底部１２３に配置している。これにより、第１実施形態と同様の効果が得られるとともに、表ケース１２２を裏ケース１２１と同じ材質など、光透過性の有無に制限されることなく任意の材質で形成することができるため、外観意匠性の優れた生体情報検出装置が得られる。
【００４１】
なお、本発明は、図面を参照して説明した上述の実施形態に限定されるものではなく、その技術的範囲において様々な変形例が考えられる。
例えば、上記実施形態においては、生体情報検出装置１として心拍計測装置を例に挙げて説明したが、この場合に限定されるものではない。例えば、血圧や体温、筋電位を計測する装置に上述した構成を適用することができる。
【００４２】
また、上記実施形態では、発電部３０の正極３１が発電部３０の裏面の中央付近に形成され、回路基板４０の第１接続電極４１が回路基板４０の表面の中央付近に形成されているが、この場合に限定されず、それぞれが中央付近以外に形成されてもよい。これは、発電部１３０の正極１３１および回路基板１４０の第１接続電極１４１についても同様である。
【００４３】
また、上記実施形態では、積層配置部７０において、負極生体信号検出部５１は、発電部３０，１３０と積層配置されているが、この場合に限定されず、負極生体信号検出部５１は、回路基板４０，１４０と積層配置されていてもよい。
また、発電部３０，１３０および回路基板４０，１４０における負極生体信号検出部５１側の端部が、負極生体信号検出部５１の一端を挟持する構造であってもよい。
【００４４】
また、上記実施形態では、発電部３０，１３０は、いわゆるフレキシブルソーラーパネルにより構成されてもよい。フレキシブルソーラーパネルは自在に湾曲可能なため、発電部３０，１３０をケース２０，１２０内において外光をより効率よく受光できるように配置することができる。
【００４５】
その他、本発明の趣旨を逸脱しない範囲で、上記した実施の形態における構成要素を周知の構成要素に置き換えることは適宜可能である。
【符号の説明】
【００４６】
１…生体情報検出装置  ３０，１３０…発電部  ３１，１３１…正極  ３２，１３２…負極  ４０，１４０…回路基板  ４２，１４２…第２接続電極（接続電極）  ５１…正極生体信号検出部（生体信号検出部）  ５１ａ，５２ａ…検出電極  ５２…負極生体信号検出部（生体信号検出部）  ６５，１６５…スペーサー  ７０…積層配置部
【図１】
2016016110.tif 000003
【図２】
2016016110.tif 000004
【図３】
2016016110.tif 000005
【図４】
2016016110.tif 000006